(57)【要約】【課題】洗面台として必要とされる大きさの洗面用ボウル部を確保し、且つ、小物類を載置できる載置台を設けた載置台付き洗面化粧台を提供する。【解決手段】本願発明の載置台付き洗面化粧台は、箱型のキャビネット１の上部に、洗面ボウル２を載置するとともに、洗面ボウル２の周縁頂部を形成する上縁部２１と載置台３の周縁頂部を形成する縁部３２とがほぼ面一となるよう、該洗面ボウル２の側部に載置台３を装着したことを特徴とし、載置台３はその周辺に縁部３２を有し、該縁部３２の内域に凹底部３１を形成し、載置台３を洗面ボウル２の側部に回転自在に設けるとともに、該載置台３を該洗面ボウル２の上縁部２１に対して垂直方向と水平方向と位置に選択的に装着できるものである。【選択図】図４
2009089782.tif 000002
【特許請求の範囲】
【請求項１】
箱型のキャビネットの上部に、洗面ボウルを載置するとともに、洗面ボウルの周縁頂部を形成する上縁部と載置台の周縁頂部を形成する縁部とがほぼ面一となるよう、該洗面ボウルの側部に載置台を装着した載置台付き洗面化粧台。
【請求項２】
上記の載置台はその周辺に縁部を有し、該縁部の内域に凹底部を形成したことを特徴とする請求項１記載の載置台付き洗面化粧台。
【請求項３】
上記載置台を洗面ボウルの側部に回転自在に設けるとともに、該載置台を該洗面ボウルの上縁部に対して垂直方向と水平方向との位置に選択的に装着できるようにしたことを特徴とする請求項1記載の載置台付き洗面化粧台。
【発明の詳細な説明】
【技術分野】
【０００１】
本願発明は、載置台を設けた洗面化粧台に係り、特に洗面ボウルのボウル自体の大きさを大きくでき、且つ洗面ボウルの周縁に載置台を設けた載置台付き洗面化粧台に関するものである。
【背景技術】
【０００２】
従来、キャビネットとその上部に洗面ボウルを載置した洗面化粧台は広く使用されている。これら洗面化粧台は洗面ボウルの周縁頂部を形成する上縁部に、石鹸入れあるいは洗面や化粧をする際に使用する、ヘアドライヤ、髭剃機、化粧品、または眼鏡やアクセサリなどの小物類を一時的においておくための場所を設けている。そのために洗面ボウルの周縁頂部の面積を広くすると洗面ボウルのボウル自体を小さくしなければならず、該ボウルの大きさをある程度大きくすると洗面ボウル自体を大きくせざるを得なくなり、洗面ボウルの大きい洗面化粧台は狭い床面積の場所では使用しにくい。このような問題点を解決した洗面ボウルの開発が望まれていた。
【０００３】
従来から特開平７−１２４０２５号公報に示されるように洗面ボウル上には石鹸入れや小物類を置くための場所を設けていない洗面ボウルがあった。すなわち本願図７に示すようにキャビネットａ上に洗面ボウルｂが取り付けられており、洗面ボウルｂの上縁部にはシャワーノズルと湯水混合栓が配されているが、小物類を載置する場所は設けられていない。小物類を載置するための場所として洗面ボウルｂと化粧鏡キャビネットｄとの間に棚部ｃを配している。
【０００４】
即ち、化粧鏡キャビネットｄの化粧鏡の取り付け箇所よりも下方の正面部分に洗面ボウルｂ側に向けて傾斜した水切り斜面部ｅが形成され、この水切り斜面部ｅの側方に棚部ｃが設けられている。この洗面化粧台は小物類を載置する棚部ｃや水切り斜面部ｅ等の余分な箇所を必要としコスト高になる。また洗面ボウルｂと化粧鏡キャビネットｄとの間に棚部ｃを設けている為に全体の高さが大きくなり、洗面化粧台の設置場所によってはその据付が困難となり、背高の洗面化粧台は設置場所が限定されることがある。
【０００５】
一方特開２０００−２７１０２５号公報には、本願図８に示されるように洗面化粧台と横一列に隣接して設置される洗濯機ｆの周囲に設置される棚部ｃであってこの棚部ｃは洗面台と洗濯機ｆに挟まれた空間に前後方向にスライド自在に設けられたものが開示されている。またこの棚部ｃは洗濯機ｆの前方や洗面化粧台と反対側の洗濯機ｆの側方にも延設出来る。すなわち無理な姿勢をすることなく楽に棚部ｃの奥の方に物を置いたり、逆に棚部ｃの奥の方に置いた物を取ったりすることが出来る。しかし、当該開示された棚部ｃの装着目的は本願のように洗面ボウルｂのボウル自体を大きくすることを目的とするものではない。
【特許文献１】特開平７−１２４０２５号公報
【特許文献２】特開２０００−２７１０２５号公報
【発明の開示】
【発明が解決しようとする課題】
【０００６】
しかしながら、上記従来例である洗面化粧台は、本願のように、洗面ボウルとして必要な大きさのボウル部を設けると共に洗面等で使用される小物類を容易に載置出来る場所を設けるものではない。
【０００７】
本願発明は、上記背景技術に鑑みてなしたものであり、その目的は、洗面化粧台として必要とされる大きさの洗面用ボウル部を有し、且つ、小物類を載置できる載置台を設けた載置台付き洗面化粧台を提供することである。
【課題を解決するための手段】
【０００８】
上記課題を解決するために、本願請求項１記載の発明に係る載置台付き洗面化粧台は、箱型のキャビネットの上部に、洗面ボウルを載置するとともに、洗面ボウルの周縁頂部を形成する上縁部と載置台の周縁頂部を形成する縁部とがほぼ面一となるよう、該洗面ボウルの側部に載置台を装着したことを特徴としている。
【０００９】
本願請求項２記載の発明は、上記請求項１記載の載置台付き洗面化粧台において、上記の載置台はその周辺に縁部を有し、該縁部の内域に凹底部を形成したことを特徴としている。
【００１０】
本願請求項３記載の発明は、上記請求項１記載の載置台付き洗面化粧台において、上記載置台を洗面ボウルの側部に回転自在に設けるとともに、該載置台を該洗面ボウルの上縁部に対して垂直方向と水平方向との位置に選択的に装着できるようにしたことを特徴としている。
【発明の効果】
【００１１】
本願請求項１記載の発明に係る載置台付き洗面化粧台においては、箱型のキャビネットの上部に載置された洗面ボウルの側部に載置台を装着するとき、洗面ボウルの周縁頂部を形成する上縁部と載置台の周縁頂部を形成する縁部とがほぼ面一となるようにしているから、載置台が洗面ボウルの上縁部と同一の機能を持つことになり、従って、洗面ボウルの上縁部の面積が小さくても、石鹸入れあるいは洗面や化粧をする際に必要とされるヘアドライヤ、髭剃機、化粧品さらには一時的に置かれる眼鏡やアクセサリといった小物類は該載置台に置いておくことができる。従って、本願の載置台付き洗面化粧台は洗面ボウルのボウル自体を大きくできるとともに上記小物類の載置場所をも確保できる。
【００１２】
しかも、載置台は洗面ボウルの側面に装着するものであるから、載置台を化粧鏡キャビネットに形成する場合に比較して、載置台の掃除や着脱操作が容易であり、且つ、該載置台を安価に形成できるのである。
【００１３】
本願請求項２記載の発明に係る載置台付き洗面化粧台においては、特に、載置台の周辺に縁部を形成するとともに、該縁部の内域に凹底部を形成しているから、載置物が該縁部を乗り越えにくく、従って、該載置物が載置台から転落しにくくなっている。又、載置台の凹底部は小孔やスリット等の開口部がなく該凹底部に洗面ボウルからの飛散水が溜まった場合でも該飛散水が下方に漏れ落ちることはない。
【００１４】
本願請求項３記載の発明に係る載置台付き洗面化粧台においては、特に、載置台を洗面ボウルの上縁部に対して垂直方向と水平方向との位置に選択的に装着できるから、該載置台を水平状態にして使用するときは該載置台を小物類を置くための場所として活用することにより広いボウルを有する洗面ボウルとして使用でき、又、該載置台を垂直状態にして使用するときは該載置台をカランから吐出された水道水の飛散防御壁として利用できる。
【発明を実施するための最良の形態】
【００１５】
図１は、本願発明の第１の実施形態である載置台付き洗面化粧台の正面図である。この載置台付き洗面化粧台は、図１に示すように洗面ボウル２の下方に突出するように形成された膨出部を収納するキャビネット１とキャビネット１の上部に載置される洗面ボウル２と洗面ボウル２の上縁部２１とほぼ面一に横方向に突出している載置台３とカランから飛散する水が洗面台の裏面に入るのを防止する立上部４とからなっている。キャビネット１は物品を収納する内部空間を有し、その前面に扉１２があり、下部には高さを調整や水平を出すための脚部１３を有している。
【００１６】
図２は図１に示す載置台付き洗面化粧台の平面図である。洗面ボウル２はキャビネット１の上部全面に被さった状態で載置されている。洗面ボウル２は陶器あるいはホーローで構成されており洗面ボウル２の横には載置台３が装着されている。載置台３はその周縁頂部を形成する縁部３２が洗面ボウル２の周縁頂部を形成する上縁部２１とほぼ面一になるよう洗面ボウル２の側部に取り付けられる。このために洗面ボウル２と載置台３との間には段差がなく使い勝手がよいものである。載置台３の中央部は凹底部３１であり、その周りに縁部３２が上方に突出しており載置物が該縁部３２を乗り越えにくく、従って、該載置物が載置台３から転落しにくくなっている。又、載置台３の凹底部３１は小孔やスリット等の開口部がなく該凹底部３１に洗面ボウル２からの飛散水が溜まった場合でも該飛散水が下方に漏れ落ちることはない。載置台３の前後方向の長さはキャビネット1の奥行きとほぼ同じかそれより短く形成されている。したがって設置された場合でも洗面化粧台から前方に突出することがなく衣服が引っ掛りすることがなく安全なものである。
【００１７】
図３は図２の平面図におけるＸ−Ｘ部の断面図であり、載置台３の取付け状態を示している。載置台３の断面は概略Ｌ型の形状をしており載置台３の載置台取付け部３３が取付けビス３４等によりキャビネット１の側板１１に取付けられる。載置台３の取付け部側の縁部３２は図示するように洗面ボウル２の上縁部２１との段差が生じないように取り付けられ、載置物は洗面ボウル２の上縁部２１から容易に載置台３に移動させることが可能である。載置台３の上部は洗面ボウル２の上縁部２１と密着するように接着剤を併用して取り付けてもよい。
【００１８】
図４は図３に示した載置台３の取付け状態の拡大斜視図である。同図に示すように、載置台取付け部３３がキャビネット１より前方に突出するとキャビネット１の扉１２の開閉に支障が生じるため、載置台取付け部３３の形状や大きさはキャビネット１の扉１２の開閉に支障のないように形成している。
【００１９】
図５に示すものは載置台３を垂直方向と水平方向との位置に選択的に装着できるようにした実施形態における載置台３の取付け状態を表した断面図である。同図に示すように、載置台取付け部３３と載置台支持部３６とが回転軸３５で回動自在に連結されている。そして載置台支持部３６の上に載置台３が載置固定される。なお、載置台支持部３６を設けることなく載置台３を回転軸３５を介して載置台取付け部３３に直接装着してもよい。この実施形態においては、載置台取付け部３３に対して載置台３は上方への起立状態と水平方向への張り出し状態の間で回動自在となる。
【００２０】
図６では図５に示した載置台３を垂直方向に起立させた状態を示している。同図に示すように、載置台３を垂直方向に回動起立させたとき洗面ボウル２の上縁部２１に載置台３の端部が当接載置されることで化粧洗面台洗面ボウル２の上縁部２１に載置台３が安定して起立する。このとき起立した該載置台３は洗面ボウル２からの水の飛散防御壁となっている。一方、載置台３を下方に回動して載置台３と載置台取付け部３３を重なるようにすることも可能である。この載置台３は軽くかつ強度のあるものが好ましく硬質のＰＰやＰＳ等の合成樹脂で形成しあるいはＰＢあるいはＭＤＦの木質材を加工して形成される。
【００２１】
以上に説明したように本願発明の実施形態による載置台付き洗面化粧台は、洗面ボウル２の上縁部２１に石鹸入れや小物類を置くための場所を設ける必要が必ずしもない。その結果洗面ボウル２が大きく形成され、洗面や化粧に支障が生じない。洗面や化粧に必要とされるヘアドライヤ、髭剃機あるいは化粧品さらには眼鏡やアクセサリなどの小物類は載置台３上に置くことで洗面ボウル２を広く使用できる。
【００２２】
このように本願発明にかかる載置台付き洗面化粧台は、載置台３を付けるのみであり安価に製造可能で、しかも構成が簡単で部材も少ないから取付けも容易でかつメンテナンスもほとんど不要なものである。
【００２３】
しかも取付けに際して特殊な技術がなくても容易に取付けが出来、載置台３の位置を変更したい場合にも簡単に位置を変更できる。
【図面の簡単な説明】
【００２４】
【図１】本願発明の第１の実施形態である載置台付き化粧洗面台の正面図。
【図２】同載置台付き化粧洗面台を上方から見た平面図。
【図３】図2における載置台のＸ−Ｘ部の断面図。
【図４】本願発明の一実施形態を示す載置台部分の拡大斜視図。
【図５】載置台を立倒可能にした他の実施例を示す載置台部分の取付け状態を示す一部断面図。
【図６】図５における載置台を垂直に立てた状態を示す載置台部分の一部断面図。
【図７】公知の化粧鏡ユニットの斜視図。
【図８】公知の物品載置棚の正面図。
【符号の説明】
【００２５】
１  洗面化粧台のキャビネット
１１洗面化粧台のキャビネットの側板
１２キャビネットの扉
１３キャビネットの脚部
２  洗面ボウル
２１洗面ボウルの上縁部
２２洗面ボウルの排水口
３  載置台
３１載置台の凹底部
３２載置台の縁部
３３載置台取付け部
３４取付けビス
３５回転軸
３６載置台支持部
４  立上部
ａ  従来例におけるキャビネット
ｂ  従来例における洗面ボウル
ｃ  棚板
ｄ  化粧鏡キャビネット
ｅ  水切り斜面部
ｆ  洗濯機
【図１】
2009089782.tif 000003
【図２】
2009089782.tif 000004
【図３】
2009089782.tif 000005
【図４】
2009089782.tif 000006
【図５】
2009089782.tif 000007
【図６】
2009089782.tif 000008
【図７】
2009089782.tif 000009
【図８】
2009089782.tif 000010